(57)【要約】本発明は、検索結果からユーザが選択したコンテンツに関する情報からなる再生リストを構成し、所定のタイミングで前記再生リストのコンテンツの再生可能性を調べ、再生時に再生ができないコンテンツに対し、当該コンテンツを再生不可能コンテンツのリストであるエラーリストに追加し、前記再生リストから前記再生不可能コンテンツを削除し、所定のタイミングで前記エラーリストの再生不可能コンテンツの再生の可否を調べ、再生可能であれば、前記再生不可能コンテンツを再生リストに復帰させ、再生をおこない、エラーリストから前記再生不可能コンテンツを削除するコンテンツ再生方法である。
2011062133.tif 000002
【特許請求の範囲】
【請求項１】
ネットワーク配信されるコンテンツのコンテンツ再生方法であって、
検索結果からユーザが選択したコンテンツに関する情報からなる再生リストを構成し、
所定のタイミングで前記再生リストのコンテンツの再生可能性を調べ、
再生時に再生ができないコンテンツに対し、当該コンテンツを再生不可能コンテンツのリストであるエラーリストに追加し、前記再生リストから前記再生不可能コンテンツを削除し、
所定のタイミングで前記エラーリストの再生不可能コンテンツの再生の可否を調べ、
再生可能であれば、前記再生不可能コンテンツを再生リストに復帰させ、再生をおこない、エラーリストから前記再生不可能コンテンツを削除する
コンテンツ再生方法。
【請求項２】
前記再生不可能コンテンツの再生可能性のチェックを、再生リストのコンテンツの再生開始時におこなう請求項１に記載のコンテンツ再生方法。
【請求項３】
前記再生不可能コンテンツに類似するコンテンツを検索し、
前記再生不可能コンテンツに類似するコンテンツが存在する場合、前記類似するコンテンツをユーザに提示し、
前記ユーザが前記類似するコンテンツを代替コンテンツとして再生する場合、前記再生不可能コンテンツを前記エラーリストから削除し、前記類似するコンテンツを前記再生リストに追加する
請求項１に記載のコンテンツ再生方法。
【請求項４】
前記再生リストには、コンテンツのタイトル、撮影日時、コンテンツ所有者、コンテンツ製作者、撮影場所、キーワードの少なくとも一以上を含む
請求項１から請求項３のいずれかに記載のコンテンツ再生方法。
【請求項５】
前記再生リスト生成時に、コンテンツの特徴量を抽出しておき、前記コンテンツの特徴量に基づいて、前記再生不可能コンテンツに類似するコンテンツを検索する
請求項１から請求項４のいずれかに記載のコンテンツ再生方法。
【請求項６】
前記コンテンツの特徴量は、コンテンツのシーンの一部、フレームの一部、コンテンツのビットストリームの一部のうち一つ以上の要素で構成される請求項５に記載のコンテンツ再生方法。
【請求項７】
ネットワーク配信されるコンテンツのコンテンツ再生装置であって、
検索結果からユーザが選択したコンテンツに関する情報からなる再生リストを構成する再生リスト処理部と、
所定のタイミングで前記再生リストのコンテンツの再生可能性を調べるコンテンツ再生可否調査処理部と、
再生時に再生ができないコンテンツに対し、当該コンテンツを再生不可能コンテンツのリストであるエラーリストに追加し、前記再生リストから前記再生不可能コンテンツを削除するエラーリスト処理部と、
所定のタイミングで前記エラーリストの再生不可能コンテンツの再生の可否を調べるエラーコンテンツ再生可否調査処理部と、
再生可能であれば、前記再生不可能コンテンツを再生リストに復帰させ、再生をおこない、エラーリストから前記再生不可能コンテンツを削除するコンテンツ復帰処理部と
を有するコンテンツ再生装置。
【請求項８】
前記ンテンツ再生可否調査処理部は、前記再生不可能コンテンツの再生可能性のチェックを、再生リストのコンテンツの再生開始時におこなう請求項７に記載のコンテンツ再生装置。
【請求項９】
前記エラーコンテンツ再生可否調査処理部は、前記再生不可能コンテンツに類似するコンテンツを検索し、前記再生不可能コンテンツに類似するコンテンツが存在する場合、前記類似するコンテンツをユーザに提示し、
前記コンテンツ復帰処理部は、前記ユーザが前記類似するコンテンツを代替コンテンツとして再生する場合、前記再生不可能コンテンツを前記エラーリストから削除し、前記類似するコンテンツを前記再生リストに追加する
請求項７に記載のコンテンツ再生装置。
【請求項１０】
前記再生リストには、コンテンツのタイトル、撮影日時、コンテンツ所有者、コンテンツ製作者、撮影場所、キーワードの少なくとも一以上を含む
請求項７から請求項９のいずれかに記載のコンテンツ再生装置。
【請求項１１】
前記再生リスト処理部は、前記再生リスト生成時に、コンテンツの特徴量を抽出し、前記再生リストに登録し、
前記エラーコンテンツ再生可否調査処理部は、前記コンテンツの特徴量に基づいて、前記再生不可能コンテンツに類似するコンテンツを検索する
請求項７から請求項１０のいずれかに記載のコンテンツ再生装置。
【請求項１２】
前記コンテンツの特徴量は、コンテンツのシーンの一部、フレームの一部、コンテンツのビットストリームの一部のうち一つ以上の要素で構成される請求項１１に記載のコンテンツ再生装置。
【請求項１３】
ネットワーク配信されるコンテンツの再生のプログラムであって、
検索結果からユーザが選択したコンテンツに関する情報からなる再生リストを構成する再生リスト処理と、
所定のタイミングで前記再生リストのコンテンツの再生可能性を調べるコンテンツ再生可否調査処理と、
再生時に再生ができないコンテンツに対し、当該コンテンツを再生不可能コンテンツのリストであるエラーリストに追加し、前記再生リストから前記再生不可能コンテンツを削除するエラーリスト処理と、
所定のタイミングで前記エラーリストの再生不可能コンテンツの再生の可否を調べるエラーコンテンツ再生可否調査処理と、
再生可能であれば、前記再生不可能コンテンツを再生リストに復帰させ、再生をおこない、エラーリストから前記再生不可能コンテンツを削除するコンテンツ復帰処理と
情報処理装置に実行させるプログラム。
【発明の詳細な説明】
【技術分野】
【０００１】
本発明は、コンテンツ再生方法、コンテンツ再生装置及びプログラムに関する。
【背景技術】
【０００２】
インターネットなどのネットワークを介して画像配信をおこなうサービスでは、非特許文献１のように、ユーザがサービス事業者のアクセスポイント等にアクセスし、キーワードを入力するなどしてコンテンツの検索をおこない、検索結果の中から視聴したいコンテンツを選択し、実際に視聴するという形態をとることが一般的である。【０００３】
このとき、複数のコンテンツを選択し、再生するコンテンツのリスト(再生リスト)を端末上に持ち、再生リストに列挙されたコンテンツを順に視聴していく視聴形態が考えられる。再生リストを用いる場合、コンテンツを検索した時点ではネットワーク上に存在していた再生リスト上のコンテンツが、再生する段階では当該コンテンツの削除などにより、再生ができない場合も有り得る。前記のように、再生リスト上のコンテンツの再生を開始しようとしたときに、当該コンテンツが既にネットワーク上に存在しない場合、再生が途切れてしまう。【０００４】
そのため視聴者は、再生リスト上から当該コンテンツを削除し、再生を続行するという動作をとることになる。
【先行技術文献】
【非特許文献】
【０００５】
【非特許文献１】“サグールテレビ”、［online］、インターネット〈URL：http:// sagool.tv/〉
【発明の概要】
【発明が解決しようとする課題】
【０００６】
しかし、上述した関連技術では、再生リストから削除したコンテンツと同一内容のコンテンツがネットワーク上に再びアップロードされた場合には、すでに再生リストから当該コンテンツが削除されているため、視聴者は当該コンテンツを視聴できないままであるという問題があった。【０００７】
そこで、本発明は上記課題に鑑みて発明されたものであって、その目的は、画像再生サービスにおいて、端末上で生成した再生リストの順に再生をおこなう際に、再生できないコンテンツがあっても、途切れさせることなく再生を続行し、コンテンツが再生可能となった際には、当該コンテンツを再生するコンテンツ再生方法、コンテンツ再生装置及びプログラムを提供することにある。
【課題を解決するための手段】
【０００８】
本発明は、ネットワーク配信されるコンテンツのコンテンツ再生方法であって、検索結果からユーザが選択したコンテンツに関する情報からなる再生リストを構成し、所定のタイミングで前記再生リストのコンテンツの再生可能性を調べ、再生時に再生ができないコンテンツに対し、当該コンテンツを再生不可能コンテンツのリストであるエラーリストに追加し、前記再生リストから前記再生不可能コンテンツを削除し、所定のタイミングで前記エラーリストの再生不可能コンテンツの再生の可否を調べ、再生可能であれば、前記再生不可能コンテンツを再生リストに復帰させ、再生をおこない、エラーリストから前記再生不可能コンテンツを削除するコンテンツ再生方法である。【０００９】
本発明は、ネットワーク配信されるコンテンツのコンテンツ再生装置であって、検索結果からユーザが選択したコンテンツに関する情報からなる再生リストを構成する再生リスト処理部と、所定のタイミングで前記再生リストのコンテンツの再生可能性を調べるコンテンツ再生可否調査処理部と、再生時に再生ができないコンテンツに対し、当該コンテンツを再生不可能コンテンツのリストであるエラーリストに追加し、前記再生リストから前記再生不可能コンテンツを削除するエラーリスト処理部と、所定のタイミングで前記エラーリストの再生不可能コンテンツの再生の可否を調べるエラーコンテンツ再生可否調査処理部と、再生可能であれば、前記再生不可能コンテンツを再生リストに復帰させ、再生をおこない、エラーリストから前記再生不可能コンテンツを削除するコンテンツ復帰処理部とを有するコンテンツ再生装置である。【００１０】
本発明は、ネットワーク配信されるコンテンツの再生のプログラムであって、検索結果からユーザが選択したコンテンツに関する情報からなる再生リストを構成する再生リスト処理と、所定のタイミングで前記再生リストのコンテンツの再生可能性を調べるコンテンツ再生可否調査処理と、再生時に再生ができないコンテンツに対し、当該コンテンツを再生不可能コンテンツのリストであるエラーリストに追加し、前記再生リストから前記再生不可能コンテンツを削除するエラーリスト処理と、所定のタイミングで前記エラーリストの再生不可能コンテンツの再生の可否を調べるエラーコンテンツ再生可否調査処理と、再生可能であれば、前記再生不可能コンテンツを再生リストに復帰させ、再生をおこない、エラーリストから前記再生不可能コンテンツを削除するコンテンツ復帰処理と情報処理装置に実行させるプログラムである。
【発明の効果】
【００１１】
本発明によれば、再生を途切れされることなく、再生リスト上のコンテンツを再生することができ、再生ができなかったコンテンツが再生可能となった際に当該コンテンツの視聴ができる。
【図面の簡単な説明】
【００１２】
【図１】図１は第１の実施の形態のコンテンツ再生装置のブロック図である。
【図２】図２は第１の実施の形態の再生リストの一例を示した図である。
【図３】図３は第１の実施の形態の再生リストの一例を示した図である。
【図４】図４は第１の実施の形態のエラーリストの一例を示した図である。
【図５】図５は第１の実施の形態におけるコンテンツ再生装置の動作フローチャートである。
【図６】図６は第１の実施の形態におけるコンテンツ再生装置の動作フローチャートである。
【図７】図７は第２の実施の形態におけるコンテンツ再生装置の動作フローチャートである。
【図８】図８は第３の実施の形態のシステムブロック図である。
【発明を実施するための形態】
【００１３】
本発明の実施の形態について図面を用いて詳細に説明する。
＜第１の実施の形態＞
図１は第１の実施の形態のコンテンツ再生装置のブロック図である。
【００１４】
図１を参照すると、第１の実施の形態のコンテンツ再生装置は、再生リスト生成処理部６０１と、コンテンツ再生可否調査処理部６０２と、コンテンツ再生処理部６０３と、エラーリスト生成処理部６０４、エラーコンテンツ再生可否調査処理部６０５と、コンテンツ復帰処理部６０６とから構成される。尚、コンテンツとは、動画や、静止画、音楽などをいう。
【００１５】
再生リスト生成処理部６０１は、ユーザによりコンテンツの検索が行われると、コンテンツ候補の一覧を検索結果として表示する。再生リスト生成処理部６０１は、検索結果よりユーザによって選択された一つ以上のコンテンツのコンテンツ情報に基づいて、再生リストを生成する。再生リストに含まれるコンテンツ情報には、例えば、コンテンツのタイトル、撮影日時、コンテンツ所有者、コンテンツ製作者、撮影場所、キーワードなどがある。また、ここに挙げた以外の情報が含まれるようにしても良い。図２に、再生リストの一例を示す。図２では、７種類のコンテンツにより再生リストが構成されており、再生の順番に従ってリストが構成されている。
【００１６】
コンテンツ再生可否調査処理部６０２は、ユーザによる再生開始の操作に応答し、再生リスト内のコンテンツの再生可否の調査を行う。再生リスト内のあるコンテンツがすでにネットワーク上に存在しない場合は、そのコンテンツのコンテンツ情報をエラーリスト生成処理部６０４に送信する。また、そのコンテンツのコンテンツ情報を再生リストから削除する。再生リスト内のあるコンテンツが再生可能な場合には、そのコンテンツのコンテンツ情報をコンテンツ再生処理部６０３に通知する。尚、再生リスト上のコンテンツが実際にネットワーク上に存在し、再生が可能であるか否かのチェックは、当該コンテンツの再生開始時におこなっても良いし、別のタイミングでおこなっても良い。例えば、あるコンテンツの再生中に、次に再生を行う予定のコンテンツの再生可能性のチェックをおこなうようにしても良い。
【００１７】
エラーリスト生成処理部６０４は、再生不可能なコンテンツのコンテンツ情報をコンテンツ再生可否調査処理部６０２から受信し、そのコンテンツのコンテンツ情報をエラーリストに追加する。
【００１８】
一方、再生可能なコンテンツのコンテンツ情報をンテンツ再生可否調査処理部６０２から受信したコンテンツ再生処理部６０３は、そのコンテンツの再生処理を行う。
【００１９】
例えば、再生リスト生成処理部６０１によって生成された再生リストが図２に示されるものであり、コンテンツ再生可否調査処理部６０２による再生可否調査の結果、コンテンツ３とコンテンツ６とが再生不可能と判断された場合、再生リストは図３に示すようになり、エラーリストは図４に示すようになる。図３の再生リストでは、コンテンツ３とコンテンツ６とが再生リストから削除されている。また、図４のエラーリストでは、コンテンツ３とコンテンツ６とがエラーリストに追加されている。このように再生できなかったコンテンツ情報をエラーリストに追加し、コンテンツ再生処理部６０３は再生リスト上の次のコンテンツの再生を継続する。
【００２０】
尚、エラーリストは、再生リストと異なる別のリストとして構成されているが、再生リストとエラーリストとが一つのリストとして構成され、表示色の違いや、再生できなかったコンテンツであることを示すアイコンなどを表示することで、同様の効果を得るようにしてもよい。
【００２１】
エラーコンテンツ再生可否調査処理部６０５は、所定のタイミングで、エラーリスト上にあるコンテンツの再生可否の調査を行う。エラーリスト上のコンテンツは、再生を試みた時点ではネットワーク上にコンテンツが存在していなかったコンテンツであるが、再びネットワーク上にアップロードされれば再生が可能となる。そこで、エラーリスト上のコンテンツと同一内容のコンテンツがネットワーク上に存在していないかを所定のタイミングでチェックする。エラーリスト上のコンテンツと同一内容のコンテンツがネットワーク上に存在している場合には、当該コンテンツのコンテンツ情報をエラーリストから削除し、そのコンテンツのコンテンツ情報をコンテンツ復帰処理部６０６に通知する。尚、エラーコンテンツ再生可否調査処理部６０５による所定のタイミングでのチェックは、翌日、翌週、次回使用時、毎日決められた時間などで行われる。
【００２２】
コンテンツ復帰処理部６０６は、コンテンツ情報をエラーコンテンツ再生可否調査処理部６０５から受信し、受信したコンテンツ情報を再生リストに追加する。このとき、当該コンテンツは、再生リストの最後に追加するようにしてもよいし、以前再生リストに存在していたときの位置に追加するようにしてもよい。
【００２３】
尚、エラーコンテンツ再生可否調査処理部６０５及びコンテンツ復帰処理部６０６の再生リストへの復帰は、同一内容のコンテンツが存在した場合以外の条件でおこなっても良い。例えば、類似するコンテンツの一覧を提示し、ユーザが代替コンテンツとして許可したコンテンツを選択した上で、当該代替コンテンツを再生リストに追加するようにしてもよい。
【００２４】
図５は第１の実施の形態におけるコンテンツ再生装置の動作フローチャートである。
【００２５】
まず、ユーザ（視聴者）によるコンテンツの検索が行われ、この検索結果から選択された一以上のコンテンツに基づき、再生リスト生成処理部６０１は、再生リストを構築する（Ｓ３０１）。
【００２６】
次にユーザが再生開始の操作をおこない、再生リスト内のコンテンツの再生準備処理が開始される（Ｓ３０２）。
【００２７】
コンテンツ再生可否調査処理部６０２は、次に再生するコンテンツの情報を再生リストから取得する。すでに再生リスト上のコンテンツをすべて再生していて、次に再生するコンテンツが存在しない場合は、再生処理を終了する（Ｓ３０４）。
【００２８】
一方、次に再生するコンテンツが再生リスト上に存在する場合は（Ｓ３０４）、当該コンテンツがネットワーク上に存在し、再生が可能か否かを判定する（Ｓ３０５）。再生可能である場合には、コンテンツ再生処理部６０３は当該コンテンツの再生をおこなう（Ｓ３０６）。再生可能でない場合は、コンテンツ再生可否調査処理部６０２は当該コンテンツ情報を再生リストから削除し（Ｓ３０７）、エラーリスト生成処理部６０４は当該コンテンツ情報をエラーリストに追加する（Ｓ３０８）。そして、再生リスト上の次のコンテンツの再生をおこなうために、Ｓ３０３に進む。
【００２９】
次に、エラーリストに追加されたコンテンツについての処理動作を説明する。
【００３０】
図６は第１の実施の形態のコンテンツ再生装置におけるエラーリストに追加されたコンテンツについての処理動作の動作フローチャートである。
【００３１】
まず、エラーコンテンツ再生可否調査処理部６０５は、エラーリストから再生の可否をチェックするコンテンツの情報を取得する（Ｓ４０１）。エラーリスト上にコンテンツ情報がなく、コンテンツ情報を取得できない場合は、処理を終了する（Ｓ４０２）。
【００３２】
一方、エラーコンテンツ再生可否調査処理部６０５は、エラーリストからコンテンツ情報を取得できた場合には、当該コンテンツがネットワーク上に存在し、再生が可能になっているか否かを調べる（Ｓ４０３）。再生可能となっている場合には、エラーコンテンツ再生可否調査処理部６０５は、当該コンテンツをエラーリストから削除する。また、コンテンツ復帰処理部６０６は、エラーリストから削除したコンテンツのコンテンツ情報を、再生リストに追加する（Ｓ４０４）。そして、エラーリスト上の次のコンテンツを調べるため、Ｓ４０２に進む。
【００３３】
次に、具体的な例を用いた本発明の第１の実施の形態の動作を説明する。
【００３４】
ユーザは、端末上で、視聴したいコンテンツの検索をおこない、検索結果の中から１０個のコンテンツを選択したとする（それぞれコンテンツ１〜コンテンツ１０とする）。これらのコンテンツの情報（コンテンツ名、コンテンツ所有者、コンテンツ製作者、撮影日時、キーワード）を保存し、再生リストが生成される。
【００３５】
再生リストが生成された後、ユーザは端末に再生開始を指示し、１０個のコンテンツの再生が開始される。再生はコンテンツ１、コンテンツ２、コンテンツ３、…、コンテンツ１０の順に再生されるものとする。このとき、コンテンツ３は、検索をしたときはネットワーク上に存在していたものの、再生開始のタイミングにおいて、ネットワーク上から削除されてしまっていたものとする。このとき、コンテンツ３は再生リストから削除され、エラーリストに追加されるとともに、次のコンテンツ４の再生を継続する。
【００３６】
エラーリストに追加されたコンテンツ３は、所定のタイミング（翌日、翌週、次回使用時、毎日決められた時間など）において、再検索がおこなわれ、ネットワーク上に再び存在している場合には、コンテンツ３を再生リストに復帰させるとともに、エラーリストから削除する。
【００３７】
このように、第１の実施の形態によれば、再生を途切れされることなく、再生リスト上のコンテンツを再生することができる。その理由は、再生リスト上のコンテンツの再生を開始しようとした際に、再生ができないコンテンツについて、当該コンテンツ情報をエラーリストに格納し、再生リストから削除することで再生可能なコンテンツのみを再生できるためである。
【００３８】
また、第１の実施の形態によれば、再生ができなかったコンテンツが再生可能となった際に当該コンテンツの視聴が可能となる。その理由は、一度再生ができなかったコンテンツの情報をエラーリストに格納しておき、所定の時間ごとにエラーリスト上のコンテンツが再生可能となっているかを調べ、再生可能であれば当該コンテンツを再生リストに復帰させるためである。
＜第２の実施の形態＞
本発明の第２の実施の形態について詳細に説明する。
【００３９】
第２の実施の形態では、ユーザにより再生リストが生成された際に、タイトル、撮影日時などのコンテンツ情報や、当該コンテンツの特徴量を抽出し、エンドユーザ端末上に格納する。前記特徴量は、例えば当該コンテンツのシーンの一部を抽出したものや、フレームの一部を抽出したもの、符号化されたコンテンツのビットストリームの一部を抽出したものなどで構成される。また、上述した以外のデータを特徴量として用いても良い。そして、本実施の形態では、エラーリスト内のコンテンツを検索する際に、それらの特徴量を用い、エラーリストに記載されている当該コンテンツと類似する他の代替コンテンツを検索して提示することを特徴とする。
【００４０】
再生リスト生成処理部６０１は、再生リストを生成する際に、例えば、タイトル、撮影日時、コンテンツ所有者、コンテンツ製作者、撮影場所、キーワードや、コンテンツのシーンの一部（例えば、サムネイル画像）を抽出したものや、フレームの一部を抽出したもの、符号化されたコンテンツのビットストリームの一部を抽出したものを、各コンテンツのコンテンツ情報として再生リストに格納する。
【００４１】
エラーコンテンツ再生可否調査処理部６０５は、エラーリスト上にあるコンテンツの再生が不可能な場合、当該コンテンツと類似する他のコンテンツを、コンテンツ情報に基づいて検索する。そして、類似するコンテンツを発見できた場合、そのコンテンツの情報をユーザに提示する。
【００４２】
コンテンツ復帰処理部６０６は、ユーザが類似したコンテンツが代替コンテンツとして視聴する決定を行った場合、当該コンテンツをエラーリストから削除し、前記代替コンテンツを再生リストに追加する。
【００４３】
次に、第２の実施の形態におけるコンテンツ再生装置の動作について説明する。
【００４４】
図７は第２の実施の形態におけるコンテンツ再生装置の動作フローチャートである。尚、第１の実施の形態と同様な動作については、同じ符号を付して説明を省略する。
【００４５】
まず、エラーコンテンツ再生可否調査処理部６０５は、エラーリストからコンテンツ情報を取得できた場合には、当該コンテンツがネットワーク上に存在し、再生が可能になっているか否かを調べる（Ｓ４０３）。当該コンテンツがネットワーク上に存在しない、又は再生可能となっていない場合には、当該コンテンツと類似する他のコンテンツを検索する（Ｓ５０１）。たとえば、タイトル、撮影日時、コンテンツ製作者、撮影場所、キーワードや前記特徴量などを元に、ネットワーク上に存在する類似していると思われるコンテンツを検索する。
【００４６】
当該コンテンツと類似する他のコンテンツがない場合には検索を終了し、エラーリスト上の次のコンテンツを調べるため、Ｓ４０２に進む（Ｓ５０２）。一方、当該コンテンツと類似する他のコンテンツがある場合には、そのコンテンツの情報がユーザに提示される（Ｓ５０３）。
【００４７】
次に、類似したコンテンツが代替コンテンツとして視聴するか否かをユーザが決定し（Ｓ５０４）、代替コンテンツとして視聴すると決定された場合は、当該コンテンツをエラーリストから削除し、前記代替コンテンツを再生リストに追加する（Ｓ５０５）。代替コンテンツとして視聴すると決定された場合は、エラーリスト上の次のコンテンツを調べるため、Ｓ４０２に進む。
【００４８】
第２の実施の形態では、再生不可能なコンテンツと類似する他のコンテンツを検索するので、ユーザが興味を示したコンテンツの視聴機会を増やすことができる。
＜第３の実施の形態＞
次に、本発明の第３の発明を実施するための最良の形態について図８を参照して詳細に説明する。
【００４９】
第３の実施の形態では、上述した第１の実施の形態に示されるコンテンツ再生装置をコンピュータシステムにより実現する例である。
【００５０】
図８を参照すると、本システムはプログラム制御プロセッサ５０１が装備されている。プログラム制御プロセッサ５０１には、再生リスト用メモリ５０２およびエラーリスト用メモリ５０３の他に、必要なプログラムを格納したプログラムメモリ５０４が接続されている。プログラムメモリ５０４に格納されるプログラムモジュールは、メインプログラムの他に、再生リストを生成する再生リスト生成処理５０５、再生リストに含まれるコンテンツの再生可否を調べるコンテンツ再生可否調査処理５０６、再生リスト上のコンテンツを順に再生するコンテンツ再生処理５０７、再生ができないコンテンツをエラーリストに追加する、エラーリスト生成処理５０８、エラーリスト上のコンテンツが再生可能となっているかを調べるエラーコンテンツ再生可否調査処理５０９、再生可能なコンテンツを再生リストに復帰させるコンテンツ復帰処理５１０で構成される。
【００５１】
メインプログラムは、画質再生処理を実行する主プログラムである。これらのプログラムモジュールは、上述した図５、図６のフローチャートをそれぞれ機能的に実現する。
【００５２】
また、エラーリスト上のコンテンツと類似するコンテンツを検索する類似コンテンツ検索処理のモジュールを持たすようにすれば、上述した第２の実施の形態をコンピュータシステム上で実現できる。
【００５３】
上記の実施形態の一部または全部は、以下の付記のようにも記載されうるが、以下には限られない。
【００５４】
（付記１）  ネットワーク配信されるコンテンツのコンテンツ再生方法であって、
検索結果からユーザが選択したコンテンツに関する情報からなる再生リストを構成し、
所定のタイミングで前記再生リストのコンテンツの再生可能性を調べ、
再生時に再生ができないコンテンツに対し、当該コンテンツを再生不可能コンテンツのリストであるエラーリストに追加し、前記再生リストから前記再生不可能コンテンツを削除し、
所定のタイミングで前記エラーリストの再生不可能コンテンツの再生の可否を調べ、
再生可能であれば、前記再生不可能コンテンツを再生リストに復帰させ、再生をおこない、エラーリストから前記再生不可能コンテンツを削除する
コンテンツ再生方法。
【００５５】
（付記２）  前記再生不可能コンテンツの再生可能性のチェックを、再生リストのコンテンツの再生開始時におこなう付記１に記載のコンテンツ再生方法。
【００５６】
（付記３）  前記再生不可能コンテンツに類似するコンテンツを検索し、
前記再生不可能コンテンツに類似するコンテンツが存在する場合、前記類似するコンテンツをユーザに提示し、
前記ユーザが前記類似するコンテンツを代替コンテンツとして再生する場合、前記再生不可能コンテンツを前記エラーリストから削除し、前記類似するコンテンツを前記再生リストに追加する
付記１に記載のコンテンツ再生方法。
【００５７】
（付記４）  前記再生リストには、コンテンツのタイトル、撮影日時、コンテンツ所有者、コンテンツ製作者、撮影場所、キーワードの少なくとも一以上を含む
付記１から付記３のいずれかに記載のコンテンツ再生方法。
【００５８】
（付記５）  前記再生リスト生成時に、コンテンツの特徴量を抽出しておき、前記コンテンツの特徴量に基づいて、前記再生不可能コンテンツに類似するコンテンツを検索する
付記１から付記４のいずれかに記載のコンテンツ再生方法。
【００５９】
（付記６）  前記コンテンツの特徴量は、コンテンツのシーンの一部、フレームの一部、コンテンツのビットストリームの一部のうち一つ以上の要素で構成される付記５に記載のコンテンツ再生方法。
【００６０】
（付記７）  ネットワーク配信されるコンテンツのコンテンツ再生装置であって、
検索結果からユーザが選択したコンテンツに関する情報からなる再生リストを構成する再生リスト処理部と、
所定のタイミングで前記再生リストのコンテンツの再生可能性を調べるコンテンツ再生可否調査処理部と、
再生時に再生ができないコンテンツに対し、当該コンテンツを再生不可能コンテンツのリストであるエラーリストに追加し、前記再生リストから前記再生不可能コンテンツを削除するエラーリスト処理部と、
所定のタイミングで前記エラーリストの再生不可能コンテンツの再生の可否を調べるエラーコンテンツ再生可否調査処理部と、
再生可能であれば、前記再生不可能コンテンツを再生リストに復帰させ、再生をおこない、エラーリストから前記再生不可能コンテンツを削除するコンテンツ復帰処理部と
を有するコンテンツ再生装置。
【００６１】
（付記８）  前記ンテンツ再生可否調査処理部は、前記再生不可能コンテンツの再生可能性のチェックを、再生リストのコンテンツの再生開始時におこなう付記７に記載のコンテンツ再生装置。
【００６２】
（付記９）  前記エラーコンテンツ再生可否調査処理部は、前記再生不可能コンテンツに類似するコンテンツを検索し、前記再生不可能コンテンツに類似するコンテンツが存在する場合、前記類似するコンテンツをユーザに提示し、
前記コンテンツ復帰処理部は、前記ユーザが前記類似するコンテンツを代替コンテンツとして再生する場合、前記再生不可能コンテンツを前記エラーリストから削除し、前記類似するコンテンツを前記再生リストに追加する
付記７に記載のコンテンツ再生装置。
【００６３】
（付記１０）  前記再生リストには、コンテンツのタイトル、撮影日時、コンテンツ所有者、コンテンツ製作者、撮影場所、キーワードの少なくとも一以上を含む
付記７から付記９のいずれかに記載のコンテンツ再生装置。
【００６４】
（付記１１）  前記再生リスト処理部は、前記再生リスト生成時に、コンテンツの特徴量を抽出し、前記再生リストに登録し、
前記エラーコンテンツ再生可否調査処理部は、前記コンテンツの特徴量に基づいて、前記再生不可能コンテンツに類似するコンテンツを検索する
付記７から付記１０のいずれかに記載のコンテンツ再生装置。
【００６５】
（付記１２）  前記コンテンツの特徴量は、コンテンツのシーンの一部、フレームの一部、コンテンツのビットストリームの一部のうち一つ以上の要素で構成される付記１１に記載のコンテンツ再生装置。
【００６６】
（付記１３）  ネットワーク配信されるコンテンツの再生のプログラムであって、
検索結果からユーザが選択したコンテンツに関する情報からなる再生リストを構成する再生リスト処理と、
所定のタイミングで前記再生リストのコンテンツの再生可能性を調べるコンテンツ再生可否調査処理と、
再生時に再生ができないコンテンツに対し、当該コンテンツを再生不可能コンテンツのリストであるエラーリストに追加し、前記再生リストから前記再生不可能コンテンツを削除するエラーリスト処理と、
所定のタイミングで前記エラーリストの再生不可能コンテンツの再生の可否を調べるエラーコンテンツ再生可否調査処理と、
再生可能であれば、前記再生不可能コンテンツを再生リストに復帰させ、再生をおこない、エラーリストから前記再生不可能コンテンツを削除するコンテンツ復帰処理と
情報処理装置に実行させるプログラム。
【００６７】
以上好ましい実施の形態及び実施例をあげて本発明を説明したが、本発明は必ずしも上記実施の形態及び実施例に限定されるものではなく、その技術的思想の範囲内において様々に変形し実施することが出来る。
【００６８】
本出願は、２００９年１１月１７日に出願された日本出願特願２００９−２６１４７６号を基礎とする優先権を主張し、その開示の全てをここに取り込む。
【符号の説明】
【００６９】
６０１      再生リスト生成処理部
６０２      コンテンツ再生可否調査処理部
６０３      コンテンツ再生処理部
６０４      エラーリスト生成処理部
６０５      エラーコンテンツ再生可否調査処理部
６０６      コンテンツ復帰処理部
【図１】
2011062133.tif 000003
【図２】
2011062133.tif 000004
【図３】
2011062133.tif 000005
【図４】
2011062133.tif 000006
【図５】
2011062133.tif 000007
【図６】
2011062133.tif 000008
【図７】
2011062133.tif 000009
【図８】
2011062133.tif 000010
【国際調査報告】
2011062133.tif 000011
2011062133.tif 000012